(57)【要約】本発明は、物品の特徴量が記憶された物品特徴量データベースと、物品に関する所定条件と、所定条件を満たした場合に発生するイベントとが対応付けられて記憶されたイベントデータベースと、取得した物品の物品画像から物品の特徴量を抽出する特徴量抽出手段と、物品特徴量データベースに記憶されている特徴量と抽出した特徴量とを照合し、物品画像の物品を識別する照合手段と、識別した物品が所定の条件を満たす場合、所定条件に対応するイベントを出力するイベント出力制御手段とを有するデジタルサイネージシステムである。
2013147002.tif 000002
【特許請求の範囲】
【請求項１】
物品の特徴量が記憶された物品特徴量データベースと、
前記物品に関する所定条件と、前記所定条件を満たした場合に発生するイベントとが対応付けられて記憶されたイベントデータベースと、
取得した物品の物品画像から物品の特徴量を抽出する特徴量抽出手段と、
前記物品特徴量データベースに記憶されている特徴量と前記抽出した特徴量とを照合し、前記物品画像の物品を識別する照合手段と、
前記識別した物品が前記所定の条件を満たす場合、前記所定条件に対応するイベントを出力するイベント出力制御手段と
を有するデジタルサイネージシステム。
【請求項２】
前記条件が、前記物品の種類、数、又はそれらの組み合わせのいずれかを少なくとも含む
請求項１に記載のデジタルサイネージシステム。
【請求項３】
前記物品を所持又は配置する人物がデジタルサイネージを視認可能な領域を撮像することができる位置に配置され、前記物品を撮像する撮像手段を有する
請求項１又は請求項２に記載のデジタルサイネージシステム。
【請求項４】
デジタルサイネージの出力手段に、イベントの告知を行う
請求項１から請求項３のいずれかに記載のデジタルサイネージシステム。
【請求項５】
複数の出力手段を有し、
前記出力制御手段は、前記識別した物品が前記所定の条件を満たす場合、前記複数の出力手段にイベントを出力する
請求項１から請求項４のいずれかに記載のデジタルサイネージシステム。
【請求項６】
照合サーバが、前記物品特徴量データベースと前記照合手段とを少なくとも有し、
デジタルサイネージが、前記特徴量抽出手段と前記イベント出力制御手段とを少なくとも有し、
前記デジタルサイネージが、前記抽出した物品の特徴量を、前記照合サーバに送信し、
前記照合サーバが、前記物品の特徴量に基づいて前記物品画像の物品を識別し、その識別結果を前記デジタルサイネージに送信する
請求項１から請求項５のいずれかに記載のデジタルサイネージシステム。
【請求項７】
前記イベントが、静止画、動画、音声の少なくともいずれかを含むコンテンツである
請求項１から請求項６のいずれかに記載のデジタルサイネージシステム。
【請求項８】
取得した物品の物品画像から物品の特徴量を抽出し、
予め記憶されている特徴量と前記抽出した特徴量とを照合し、前記物品画像の物品を識別し、
前記識別した物品が、イベントの発生条件を満たす場合、前記イベントを出力する
イベント発生方法。
【請求項９】
物品の特徴量が記憶された物品特徴量データベースと、前記物品に関する所定条件と、前記所定条件を満たした場合に発生するイベントとが対応付けられて記憶されたイベントデータベースとを有するコンピュータシステムのプログラムであって、
取得した物品の物品画像から物品の特徴量を抽出する処理と、
前記物品特徴量データベースに記憶されている特徴量と前記抽出した特徴量とを照合し、前記物品画像の物品を識別する処理と、
前記識別した物品が前記所定の条件を満たす場合、前記所定条件に対応するイベントを出力する処理と
をコンピュータに実行させるプログラム。
【発明の詳細な説明】
【技術分野】
【０００１】
本発明は、デジタルサイネージシステム、デジタルサイネージ、イベント発生方法及びプログラムに関する。
【背景技術】
【０００２】
液晶ディスプレイやプロジェクタなどのディスプレイを用いて広告を表示する広告媒体であるデジタルサイネージ（Digital Signage）が、様々な場所に設置され始めている。デジタルサイネージを用いることで、動画や音声を用いた豊かなコンテンツの提供が可能になるばかりか、デジタルサイネージの設置場所に応じた効率的な広告配信が可能になるため、今後，デジタルサイネージのマーケット拡大が期待されている。【０００３】
そこで、広告主がデジタルサイネージを導入するのにあたり、テレビの視聴率、新聞、雑誌の販売部数といったように、客観的な広告効果を広告主に提示するために、ディスプレイを閲覧した人数だけでなく、ディスプレイの前にいる人数も計測することにより、何人中何人見ていたかという視認率を精度よく測定することのできる広告効果測定装置及びコンピュータプログラムの発明が特許文献１に記載されている。【０００４】
特許文献１の発明は、ビデオカメラから送信された映像に含まれるフレームを所定の間隔で解析し、フレームから人体領域を検出し、更に、人体領域から顔領域を検出することで、デジタルサイネージの広告効果の指標として、デジタルサイネージの視認率を出力するものである。
【先行技術文献】
【特許文献】
【０００５】
【特許文献１】特開２０１１−２１０２３８号公報
【発明の概要】
【発明が解決しようとする課題】
【０００６】
しかし、特許文献１の発明は、デジタルサイネージの前の人数を広告効果として算出するが、オブジェクト認識機能がないため、物品の種別などの識別はできない。従って、物品の種別を識別して何らかのイベントを発生させるようなキャンペーンには用いることができなかった。【０００７】
また、デジタルサイネージも単なる広告表示手段としての機能以外の他の機能が待ち望まれていた。【０００８】
そこで、本発明は上記課題に鑑みて発明されたものであって、その目的は、単なる広告表示媒体だけではなく、イベント参加型のデジタルサイネージシステム、デジタルサイネージ、イベント発生方法及びプログラムを提供することにある。
【課題を解決するための手段】
【０００９】
本発明は、物品の特徴量が記憶された物品特徴量データベースと、前記物品に関する所定条件と、前記所定条件を満たした場合に発生するイベントとが対応付けられて記憶されたイベントデータベースと、取得した物品の物品画像から物品の特徴量を抽出する特徴量抽出手段と、前記物品特徴量データベースに記憶されている特徴量と前記抽出した特徴量とを照合し、前記物品画像の物品を識別する照合手段と、前記識別した物品が前記所定の条件を満たす場合、前記所定条件に対応するイベントを出力するイベント出力制御手段とを有するデジタルサイネージシステムである。【００１０】
本発明は、物品の特徴量が記憶された物品特徴量データベースと、前記物品に関する所定条件と、前記所定条件を満たした場合に発生するイベントとが対応付けられて記憶されたイベントデータベースと、取得した物品の物品画像から物品の特徴量を抽出する特徴量抽出手段と、前記物品特徴量データベースに記憶されている特徴量と前記抽出した特徴量とを照合し、前記物品画像の物品を識別する照合手段と、前記識別した物品が前記所定の条件を満たす場合、前記所定条件に対応するイベントを出力するイベント出力制御手段とを有するデジタルサイネージである。【００１１】
本発明は、取得した物品の物品画像から物品の特徴量を抽出し、予め記憶されている特徴量と前記抽出した特徴量とを照合し、前記物品画像の物品を識別し、前記識別した物品が、イベントの発生条件を満たす場合、前記イベントを出力するイベント発生方法である。【００１２】
本発明は、物品の特徴量が記憶された物品特徴量データベースと、前記物品に関する所定条件と、前記所定条件を満たした場合に発生するイベントとが対応付けられて記憶されたイベントデータベースとを有するコンピュータシステムのプログラムであって、取得した物品の物品画像から物品の特徴量を抽出する処理と、前記物品特徴量データベースに記憶されている特徴量と前記抽出した特徴量とを照合し、前記物品画像の物品を識別する処理と、前記識別した物品が前記所定の条件を満たす場合、前記所定条件に対応するイベントを出力する処理とをコンピュータに実行させるプログラムである。
【発明の効果】
【００１３】
本発明は、単なる広告表示媒体だけではなく、イベント参加型のデジタルサイネージを提供することができる。
【図面の簡単な説明】
【００１４】
【図１】図１は本実施の形態のデジタルサイネージシステムの構成図である。
【図２】図２は実施例１におけるデジタルサイネージ１の外観図である。
【図３】図３はデジタルサイネージ１の構成図である。
【図４】図４は実施例１の動作を説明する図である。
【図５】図５は実施例１の動作を説明する図である。
【図６】図６は実施例１の動作を説明する図である。
【図７】図７は実施例１の動作を説明する図である。
【図８】図８は実施例１の他の形態を説明するためのである。
【図９】図９は実施例２の構成図である。
【図１０】図１０は実施例２を説明するための図である。
【図１１】図１１は本発明の他の実施の形態の構成図である。
【図１２】図１２は本発明の他の実施の形態の構成図である。
【図１３】図１３は本発明の他の実施の形態の構成図である。
【発明を実施するための形態】
【００１５】
本発明の実施の形態を説明する。
【００１６】
本発明は、デジタルサイネージの前に配置されたり、人物が着用している物品が写った物品画像から、それらの物品を識別する。そして、識別した物品が予め定めた物品に関する所定条件（以下、イベント発生条件）を満たす場合に、所定のイベントを出力するものである。
【００１７】
ここで、物品とは、食料品や衣服といった一般に販売される商品のみならず、特定のノベルティや紙面の一部などでも良い。そして、イベント発生条件とは、ある特定の物品、特定の物品の数、又は、それらの組み合わせである。例えば、ある特定の物品が「Ａコーヒー」であり、その数が３本などである。また、これに限らず、複数種類の物品を組み合わせても良い。例えば、ある特定の物品が「Ａコーヒー及び赤色のシャツ」などである。また、イベントとは、例えば、デジタルサイネージのディスプレイに表示される静止画や動画（例えば、特別映像等）、スピーカから出力される音楽又は音声や、割引特典の付いたクーポンやタイムセール情報等の特典等が考えられるが、これに限られない。
【００１８】
図１は、本実施の形態におけるデジタルサイネージシステムの構成図である。
【００１９】
図１に示す如く、本実施の形態におけるデジタルサイネージシステムは、物品特徴量データベース１０と、イベントデータベース１１と、特徴量抽出部１２と、照合部１３と、イベント出力制御部１４とを備える。
【００２０】
物品特徴量データベース１０には、物品の特徴量が記憶されている。
【００２１】
イベントデータベース１１には、イベント発生条件と、イベントとが対応付けられて記憶されている。イベント発生条件は、上述したように、ある特定の物品、特定の物品の数、又は、それらの組み合わせである。例えば、ある特定の物品が「Ａコーヒー」であり、その数が３本などである。イベントは、上述したように、デジタルサイネージのディスプレイに表示する静止画や動画（例えば、特別映像等）、スピーカから出力する音楽又は音声等である。
【００２２】
特徴量抽出部１２は、カメラ等で撮像されて取得した物品の物品画像から特徴量を抽出するものである。
【００２３】
照合部１３は、特徴量抽出部１２で抽出された特徴量と、物品特徴量データベース１０に記憶されている物品の特徴量とを照合し、物品画像の物品やその数を識別する。
【００２４】
イベント出力制御部１３は、照合部１３の照合結果を受けて、イベントデータベース１１を参照し、照合結果がイベント発生条件に合致していれば、イベントを出力する。例えば、例えば、イベント発生条件が「Ａコーヒー、３本」であり、イベントが特別映像であるとすると、物品画像の中に、Ａコーヒーが３本識別できれば、特別映像をデジタルサイネージのディスプレイ等の出力手段に出力する。
【００２５】
本実施の形態によれば、単なる広告表示媒体だけではなく、イベント参加型のデジタルサイネージシステムを提供することができる。
【００２６】
次に、上述した実施の形態を適用したデジタルサイネージの実施例１を説明する。
【００２７】
図２は、本実施例のデジタルサイネージ１の外観図である。
【００２８】
図１に示すように、デジタルサイネージ１は、街頭や店舗などに設置され、ディスプレイ２を用いて広告映像等のコンテンツを表示する。また、デジタルサイネージ１には、広告映像を再生するディスプレイ２の他に、物品画像を撮像するカメラ３が設けられている。
【００２９】
図３はデジタルサイネージ１の構成図である。
【００３０】
図２に示す如く、デジタルサイネージ１は、カメラ３と、物品特徴データベース１０と、イベントデータベース１１と、特徴量抽出部１２と、照合部１３と、イベント出力制御部１４と、広告表示制御部１５と、ディスプレイ２とを備える。
【００３１】
カメラ３は、物品を所持又は配置する人物がデジタルサイネージを視認可能な領域を撮像することができる位置に配置されている。
【００３２】
物品特徴データベース１０には、少なくともイベント発生条件に関係する物品の特徴量が記憶されている。
【００３３】
イベントデータベース１１には、イベント発生条件と、イベントとが対応付けられて記憶されている。
【００３４】
特徴量抽出部１２は、カメラ３で撮像された画像から特徴量を抽出するものである。画像からの特徴量の抽出方法を容易にするためには、画像中の物品が予め定められた位置で撮像されることが好ましいが、街頭などに設置されるデジタルサイネージ等では難しい。そこで、画像内の物品を、撮影サイズや角度の変化、オクルージョンに対して頑健に識別可能とするために、画像内の特徴的な点（特徴点）を多数検出し、各特徴点周辺の局所領域の特徴量（局所特徴量）を抽出する。その代表的な方式として、特許文献（米国特許第６７１１２９３号明細書）や、非特許文献（David G. Lowe著、「Distinctive image features from scale-invariant keypoints」、International Journal of Computer Vision、60(2)、2004年、p. 91-110）には、ＳＩＦＴ（Ｓｃａｌｅ  Ｉｎｖａｒｉａｎｔ  Ｆｅａｔｕｒｅ  Ｔｒａｎｓｆｏｒｍ）特徴量を用いる局所特徴量抽出装置が開示されている。また、特徴量のデータサイズを小さくする方法としては、画像内の特徴点を検出し、各特徴点に対する局所領域を取得し、各局所領域を複数のサブ領域に分割し、各局所領域内のサブ領域ごとに複数次元の特徴ベクトルを生成し、各局所領域内のサブ領域の位置関係に基づいて、近接するサブ領域の特徴ベクトル間の相関が低くなるようにサブ領域ごとに前記特徴ベクトルから次元を選定し、選定された次元の要素を局所領域の特徴量とすることが考えられる。
【００３５】
照合部１３は、特徴量抽出部１２で抽出された特徴量と、物品特徴データベース１０に記憶されている物品の特徴量とを照合し、カメラ３で撮像された物品画像から物品を識別、及びその物品の個数を識別する。
【００３６】
イベント出力制御部１４は、照合部１３の照合結果を受けて、カメラ３で撮像された物品画像の中に、イベントデータベース１１のイベント発生条件を満たす物品、その物品の数や、それらの組み合わせ等があれば、所定のイベントを発生させる。
【００３７】
広告表示制御部１５は、通常時の広告やイベントの告知等をディスプレイ２に表示する制御を行うものである。
【００３８】
次に、上述した構成における本実施例の具体的な動作を説明する。尚、以下の説明では、特定物品を「Ａコーヒー」とし、「Ａコーヒー」を３本揃えてデジタルサイネージ１の前に配置することにより、割引クーポンの発行を行うイベントを発生させる例を説明する。
【００３９】
まず、図４に示す如く、デジタルサイネージ１のディスプレイ２に「Ａコーヒーを、３本揃えて、クーポン  ゲット」のように表示し、イベントの告知を行う。そして、イベントの告知を見た人物又はそのイベントを知っている人物が「Ａコーヒー」を持参してデジタルサイネージ１に立つのを待機する。
【００４０】
次に、図５に示す如く、デジタルサイネージ１の前に人物が立つと、人物の顔認識等により、デジタルサイネージ１のディスプレイ２の表示が、「Ａコーヒーを、３本揃えて、ディスプレイの前に立って下さい。」に切り替わる。そして、人物が、Ａコーヒーを３本揃えてデジタルサイネージ１の前に立つと、識別動作が開始され、図６に示す如く、ディスプレイ２には、「識別開始！」が表示される。
【００４１】
ここで、「Ａコーヒー」の３本の識別に成功すると、イベントが発生する。図７では、「Ａコーヒー」の３本の識別に成功した場合のイベントの発生の一例を示したものであり、デジタルサイネージ１のディスプレイ２に、割引クーポンをＱＲコード（登録商標）として表示したものである。「Ａコーヒー」を３本揃えた人物は、ディスプレイ２に表示されたＱＲコード（登録商標）を携帯電話等で読み取ることにより、割引クーポンを取得できる。
【００４２】
以上の如く、本実施の形態のデジタルサイネージによれば、単なる広告表示媒体だけではなく、イベント参加型のデジタルサイネージを提供することができる。
【００４３】
尚、上述した実施例では、物品として缶コーヒーの例を示したが、これに限らず、例えば、人物が特定の衣服を着て、その衣服を識別するようにしても良い。例えば、図８の例では、「XYZのTシャツ」を識別対象の物品としたものであり、イベント発生条件として、「XYZのTシャツ」を着ているか、又は、「XYZのTシャツ」を持ってカメラ３で撮影し、その物品画像の中で「XYZのTシャツ」を識別できれば、所定のイベントを発生させるものである。
【００４４】
また、１種類の物品に限らず、例えば、３本の「Ａコーヒー」と一枚の「XYZのTシャツ」のように、複数個の物品、かつ、複数種類の物品を、イベント発生条件としても良い。
【００４５】
次に、実施例２を説明する。
【００４６】
図９は実施例２のデジタルサイネージシステムの構成図である。
【００４７】
実施例２では、実施例１のデジタルサイネージ１に、複数のディスプレイ２を接続し、複数のディスプレイ２を用いてイベントを発生させる。
【００４８】
例えば、図１０に示す如く、イベント発生前は、各ディスプレイ２には異なるコンテンツが表示されているが、所定の物品の識別により、イベント発生条件を満たすと、各ディスプレイ２を用いて一つの纏まりあるコンテンツが表示される。
【００４９】
尚、上記実施例は一例であって、本発明を逸脱しない範囲で変更することができる。例えば、上記実施例では、カメラ３と、物品特徴量データベース１０と、イベントデータベース１１と、特徴量抽出部１２と、照合部１３と、イベント出力制御部１４と、広告表示制御部１５と、ディスプレイ２とを、デジタルサイネージ１の内部にある構成としたが、それらの一部又は全部を外部のサーバ等に配置しても良い。図１１にその一例を示す。
【００５０】
図１１の例では、照合を行う照合サーバ２０を有し、照合サーバ２０が物品特徴量データベース１０と照合部１３と通信部２２とを備えている。そして、デジタルサイネージ１はネットワーク２３を介して照合サーバ２０と接続されており、デジタルサイネージ１にはカメラ３と特徴量抽出部１２とイベント出力制御部１４と広告媒体表示制御部１５と通信部２１とを備えている。
【００５１】
デジタルサイネージ１では、カメラ３で撮影した物品画像から特徴量抽出部１２により特徴量を抽出する。そして、抽出した特徴量を通信部２１により、照合サーバ２０に送信する。照合サーバ２０は受信した特徴量に基づいて照合処理を行い、その結果を通信部２２によりデジタルサイネージ１に送信する。そして、デジタルサイネージ１は、照合結果に基づき、イベントを発生する。
【００５２】
上記の構成の利点は、照合処理といった負荷のかかる処理をサーバに行わせることにより、デジタルサイネージ１の処理の負荷の軽減を図れることにある。また、多数のデジタルサイネージ１を、ネットワーク２３を介して照合サーバ２０と接続することにより、照合サーバにより、多数のデジタルサイネージ１の照合処理や運用を管理することができる。
【００５３】
尚、上記実施の形態は、次のようにも変形することができる。
【００５４】
図１２は実施の形態の他の変形例の構成図である。
【００５５】
図１２の例では、照合サーバ２０は、物品特徴量データベース１０と、特徴量抽出部１２と、照合部１３と、通信部２２とを備えている。そして、デジタルサイネージ１はネットワーク２３を介して照合サーバ２０と接続されており、デジタルサイネージ１にはカメラ３と、イベント出力制御部１４と、広告表示制御部１５と、通信部２１とを備えている。
【００５６】
上述した実施の形態の特徴は、デジタルサイネージ１では、カメラ３で撮影した画像を通信部２１により、照合サーバ２０に送信し、照合サーバ２０は受信した画像から特徴量を抽出して照合処理を行い、その結果を通信部２２によりデジタルサイネージ１に送信する。そして、デジタルサイネージ１は、照合結果に基づき、イベントを発生させるようにしている点である。
【００５７】
上記の構成の利点は、特徴量の抽出や照合処理といった負荷のかかる処理をサーバに行わせることにより、デジタルサイネージ１の処理の負荷の軽減を図れることにある。また、多数のデジタルサイネージ１を、ネットワーク２３を介して照合サーバ２０と接続することにより、照合サーバにより、多数のデジタルサイネージ１の照合処理や運用を管理することができる。
【００５８】
更に、図１３に示す如く、ＰＯＳシステム３０と連携することにより、デジタルサイネージ１で発生したイベントを各店舗のイベントに反映させることができる。例えば、各デジタルサイネージ１で発生したイベントの数が所定数を超えた場合に、店舗でタイムセールを実施し、商品の値引き等を自動的に反映させたりすることができる。
【００５９】
以上で本発明の実施の形態及び実施例の説明を終わるが、上述した説明からも明らかなように、各部をハードウェアで構成してもよいし、コンピュータプログラムにより実現してもよい。この場合、プログラムメモリに格納されているプログラムで動作するプロセッサによって、上述した各実施の形態及び実施例と同様の機能、動作を実現させる。また、上述した実施の形態の一部の機能のみをコンピュータプログラムにより実現してもよい。
【００６０】
また、上記の実施形態の一部又は全部は、以下の付記のようにも記載されうるが、以下には限られない。
【００６１】
（付記１）  物品の特徴量が記憶された物品特徴量データベースと、
前記物品に関する所定条件と、前記所定条件を満たした場合に発生するイベントとが対応付けられて記憶されたイベントデータベースと、
取得した物品の物品画像から物品の特徴量を抽出する特徴量抽出手段と、
前記物品特徴量データベースに記憶されている特徴量と前記抽出した特徴量とを照合し、前記物品画像の物品を識別する照合手段と、
前記識別した物品が前記所定の条件を満たす場合、前記所定条件に対応するイベントを出力するイベント出力制御手段と
を有するデジタルサイネージシステム。
【００６２】
（付記２）  前記条件が、前記物品の種類、数、又はそれらの組み合わせのいずれかを少なくとも含む
付記１に記載のデジタルサイネージシステム。
【００６３】
（付記３）  前記物品を所持又は配置する人物がデジタルサイネージを視認可能な領域を撮像することができる位置に配置され、前記物品を撮像する撮像手段を有する
付記１又は付記２に記載のデジタルサイネージシステム。
【００６４】
（付記４）  デジタルサイネージの出力手段に、イベントの告知を行う
付記１から付記３のいずれかに記載のデジタルサイネージシステム。
【００６５】
（付記５）  複数の出力手段を有し、
前記出力制御手段は、前記識別した物品が前記所定の条件を満たす場合、前記複数の出力手段にイベントを出力する
付記１から付記４のいずれかに記載のデジタルサイネージシステム。
【００６６】
（付記６）  照合サーバが、前記物品特徴量データベースと前記照合手段とを少なくとも有し、
デジタルサイネージが、前記特徴量抽出手段と前記イベント出力制御手段とを少なくとも有し、
前記デジタルサイネージが、前記抽出した物品の特徴量を、前記照合サーバに送信し、
前記照合サーバが、前記物品の特徴量に基づいて前記物品画像の物品を識別し、その識別結果を前記デジタルサイネージに送信する
付記１から付記５のいずれかに記載のデジタルサイネージシステム。
【００６７】
（付記７）  前記イベントが、静止画、動画、音声の少なくともいずれかを含むコンテンツである
付記１から付記６のいずれかに記載のデジタルサイネージシステム。
【００６８】
（付記８）  取得した物品の物品画像から物品の特徴量を抽出し、
予め記憶されている特徴量と前記抽出した特徴量とを照合し、前記物品画像の物品を識別し、
前記識別した物品が、イベントの発生条件を満たす場合、前記イベントを出力する
イベント発生方法。
【００６９】
（付記９）  前記イベントの発生条件が、前記物品の種類、数、又はそれらの組み合わせのいずれかを少なくとも含む
付記８に記載のイベント発生方法。
【００７０】
（付記１０）  デジタルサイネージの出力手段に、イベントの告知を行う
付記８又は付記９に記載のイベント発生方法。
【００７１】
（付記１１）  前記識別した物品が前記イベントの発生条件を満たす場合、複数の出力手段にイベントを出力する
付記８から付記１０のいずれかに記載のイベント発生方法。
【００７２】
（付記１２）  物品の特徴量が記憶された物品特徴量データベースと、前記物品に関する所定条件と、前記所定条件を満たした場合に発生するイベントとが対応付けられて記憶されたイベントデータベースとを有するコンピュータシステムのプログラムであって、
取得した物品の物品画像から物品の特徴量を抽出する処理と、
前記物品特徴量データベースに記憶されている特徴量と前記抽出した特徴量とを照合し、前記物品画像の物品を識別する処理と、
前記識別した物品が前記所定の条件を満たす場合、前記所定条件に対応するイベントを出力する処理と
をコンピュータに実行させるプログラム。
【００７３】
（付記１３）  前記条件が、前記物品の種類、数、又はそれらの組み合わせのいずれかを少なくとも含む
付記１２に記載のプログラム。
【００７４】
（付記１４）  デジタルサイネージの出力手段に、イベントの告知を行う処理を有する
付記１２又は付記１３に記載のプログラム。
【００７５】
（付記１５）  前記識別した物品が前記所定の条件を満たす場合、前記複数の出力手段にイベントを出力する処理を有する
付記１２から付記１４のいずれかに記載のプログラム。
【００７６】
以上好ましい実施の形態及び実施例をあげて本発明を説明したが、本発明は必ずしも上記実施の形態及び実施例に限定されるものではなく、その技術的思想の範囲内において様々に変形し実施することが出来る。
【００７７】
本出願は、２０１２年３月３０日に出願された日本出願特願２０１２−０７９０８０号を基礎とする優先権を主張し、その開示の全てをここに取り込む。
【符号の説明】
【００７８】
１      デジタルサイネージ
２      ディスプレイ
３      カメラ
１０    画像特徴データベース
１１    イベントデータベース
１２    特徴量抽出部
１３    照合部
１４    イベント出力制御部
１５    広告表示制御部
２０    照合サーバ
２１    通信部
２２    通信部
２３    ネットワーク
３０    ＰＯＳシステム
【図１】
2013147002.tif 000003
【図２】
2013147002.tif 000004
【図３】
2013147002.tif 000005
【図４】
2013147002.tif 000006
【図５】
2013147002.tif 000007
【図６】
2013147002.tif 000008
【図７】
2013147002.tif 000009
【図８】
2013147002.tif 000010
【図９】
2013147002.tif 000011
【図１０】
2013147002.tif 000012
【図１１】
2013147002.tif 000013
【図１２】
2013147002.tif 000014
【図１３】
2013147002.tif 000015
【国際調査報告】
2013147002.tif 000016
2013147002.tif 000017
2013147002.tif 000018
2013147002.tif 000019